(57)【要約】このファンモータは、モータと、インペラと、ハウジングと、を有する。モータは、ステータを有する静止部と、上下に延びる中心軸を中心に回転する回転部とを有する。インペラは、複数の羽根を有し、回転部とともに回転する。ハウジングは、モータおよびインペラの少なくとも一部を内部に収容する。ハウジングは、筒状部と、フランジ部と、１または複数のリブと、を有する。筒状部は、筒状であり、軸方向に延び、モータおよびインペラの少なくとも一部を内部に収容する。フランジ部は、筒状部の上端部または下端部から径方向外側へ向けて突出する。リブは、柱状であり、筒状部の外周面において、フランジ部から延びる。リブは、軸方向に対して傾斜している。
2018105526.tif 000002
【特許請求の範囲】
【請求項１】
ファンモータであって、
ステータを有する静止部と、上下に延びる中心軸を中心に回転する回転部とを有するモータと、
複数の羽根を有し、前記回転部とともに回転するインペラと、
前記モータおよび前記インペラの少なくとも一部を内部に収容するハウジングと、
を有し、
前記ハウジングは、
軸方向に延び、前記モータおよび前記インペラの少なくとも一部を内部に収容する筒状の筒状部と、
前記筒状部の上端部または下端部から径方向外側へ向けて突出するフランジ部と、
前記筒状部の外周面において、前記フランジ部から延びる１または複数の柱状のリブと、
を有し、
前記リブは、軸方向に対して傾斜している、ファンモータ。
【請求項２】
請求項１に記載のファンモータであって、
前記ハウジングは、さらに
前記モータを支持するベース部と、
前記ハウジングの下部において、前記ベース部の外周面と、前記筒状部の内周面とを連結する１または複数の柱状のベース接続部と、
を有し、
前記リブは、前記ハウジングの下部から上部へ向かうにつれて前記中心軸から離れる方向に傾斜する、ファンモータ。
【請求項３】
請求項１または請求項２に記載のファンモータであって、
前記ハウジングは、上下に開口する直方体形の立体形状を有し、
前記リブは、前記直方体形の立体形状における４つの側面の各々において２つ以上設けられている、ファンモータ。
【請求項４】
請求項１または請求項２に記載のファンモータであって、
前記ハウジングは、上下に開口する直方体形の立体形状を有し、
前記リブは、前記直方体形の立体形状における４つの側面のうち２つの側面の各々において２つ以上設けられ、
前記直方体形の立体形状における前記リブが設けられている側面は互いに隣接している、ファンモータ。
【請求項５】
請求項１から請求項４までのいずれか１項に記載のファンモータであって、
前記フランジ部は、
前記筒状部の上端部から径方向外側へ向けて突出する上側フランジ部と、
前記筒状部の下端部から径方向外側へ向けて突出する下側フランジ部と、
を有し、
前記リブの厚みは、前記上側フランジ部または前記下側フランジ部の軸方向の厚み以下である、ファンモータ。
【請求項６】
ファンモータであって、
ステータを有する静止部と、上下に延びる中心軸を中心に回転する回転部とを有するモータと、
複数の羽根を有し、前記回転部とともに回転するインペラと、
前記モータおよび前記インペラの少なくとも一部を内部に収容するハウジングと、
を有し、
前記ハウジングは、
第１ハウジングと、
前記第１ハウジングの下方に直接または間接的に固定される第２ハウジングと、
を有し、
前記第１ハウジングは、
軸方向に延び、前記モータおよび前記インペラの少なくとも一部を内部に収容する筒状の第１筒状部と、
前記第１筒状部の上端部から径方向外側へ向けて突出する上側フランジ部と、
を有し、
前記第２ハウジングは、
前記第１筒状部の下方に配置され、軸方向に延び、前記モータおよび前記インペラの少なくとも一部を内部に収容する筒状の第２筒状部と、
前記第２筒状部の下端部から径方向外側へ向けて突出する下側フランジ部と、
を有し、
前記ハウジングは、さらに
前記第１筒状部の外周面において、前記上側フランジ部から下方へ向けて、軸方向に対して傾斜する方向に延びる１または複数の柱状の第１リブ、
および、
前記第２筒状部の外周面において、前記下側フランジ部から上方へ向けて、軸方向に対して傾斜する方向に延びる１または複数の柱状の第２リブ、
の少なくとも一方を有する、ファンモータ。
【請求項７】
請求項６に記載のファンモータであって、
前記第２ハウジングは、さらに
前記モータを支持するベース部と、
前記ベース部の外周面と、前記第２筒状部の内周面とを連結する１または複数の柱状のベース接続部と、
を有し、
前記第１リブは、前記ハウジングの上部へ向かうにつれて前記中心軸から離れる方向に傾斜する、ファンモータ。
【請求項８】
請求項６または請求項７に記載のファンモータであって、
前記ハウジングは、前記第１リブおよび前記第２リブのうち、前記第１リブのみを有する、ファンモータ。
【請求項９】
請求項６から請求項８までのいずれか１項に記載のファンモータであって、
前記第１ハウジングおよび前記第２ハウジングは、それぞれ上下に開口する直方体形の立体形状を有し、
前記第１リブまたは前記第２リブは、それぞれ前記直方体形の立体形状における４つの側面の各々において２つ以上設けられている、ファンモータ。
【請求項１０】
請求項６から請求項８までのいずれか１項に記載のファンモータであって、
前記第１ハウジングおよび前記第２ハウジングは、それぞれ上下に開口する直方体形の立体形状を有し、
前記第１リブまたは前記第２リブは、前記直方体形の立体形状における４つの側面のうち２つの側面の各々において２つ以上設けられ、
前記直方体形の立体形状における前記第１リブまたは前記第２リブが設けられている側面は互いに隣接している、ファンモータ。
【請求項１１】
請求項６から請求項１０までのいずれか１項に記載のファンモータであって、
前記第１リブおよび前記第２リブの厚みは、前記上側フランジ部または前記下側フランジ部の軸方向の厚み以下である、ファンモータ。
【請求項１２】
請求項６または請求項８から請求項１１までのいずれか１項に記載のファンモータであって、
前記第２ハウジングは、さらに
前記モータを支持するベース部と、
前記ベース部の外周面と、前記第２筒状部の内周面とを連結する１または複数の柱状のベース接続部と、
を有し、
前記第１リブは、前記ハウジングの上部へ向かうにつれて前記中心軸から離れる方向に傾斜し、
前記第２リブは、前記ハウジングの下部へ向かうにつれて前記中心軸から離れる方向に傾斜し、
前記第１リブの下端部と、前記第２リブの上端部とは、互いに接して配置される、ファンモータ。
【発明の詳細な説明】
【技術分野】
【０００１】
本発明は、ファンモータに関する。
【背景技術】
【０００２】
従来、モータの駆動力を利用してインペラを回転させ、軸方向に気流を発生させる軸流式のファンモータが知られている。軸流式のファンモータは、例えば、家電製品、ＯＡ機器、輸送機器等に搭載され、電子部品の冷却、または機器筐体内の気体の循環等の目的で使用される。また、電子機器が多数設置されるサーバルーム内の気体の循環に、ファンモータが用いられる場合もある。【０００３】
ファンモータの風量を増大するために、インペラの寸法を大きくする等の工夫がなされている。しかし、ファンモータが大型化してしまう。ファンモータを大型化せずに、インペラの寸法を大きくすると、ファンモータのハウジングの厚みが薄くなる。これにより、ハウジングの剛性が低下し、不快な振動や騒音が発生する虞がある。また、ハウジングの剛性低下により固有振動数が低下する。その結果、ファンモータの駆動時に磁気励振との共振が発生し、不快な振動や騒音が発生する虞がある。図１８は、従来のファンモータに用いられるハウジング５Ｘにおける、水平方向の振動モードを解析した結果を示す斜視図である。また、図１９は、従来のファンモータに用いられるハウジング５Ｙにおける、軸方向の振動モードを解析した結果を示す斜視図である。なお、ハウジング５Ｘは、樹脂の射出成形等により単一の部材として形成されたものであり、ハウジング５Ｙは、上下２つの部材から形成されたものである。【０００４】
例えば、特開２０１６−１２５３９４号公報の軸流ファンにおいては、ファンフレームの互いに対向する２つの側面にそれぞれ矩形状の凹部が形成される。これにより、当該凹部の寸法および位置が特定の条件を満たす場合に、駆動時に共振が発生した際のファンフレームの変位量を小さく抑えることができる。
【特許文献１】特開２０１６−１２５３９４号公報
【発明の概要】
【発明が解決しようとする課題】
【０００５】
しかし、特開２０１６−１２５３９４号公報の構造では、凹部を形成するにあたり、ファンフレームの角部分の樹脂の厚みが大きくなり、樹脂成形時に表面に陥没が生じる、いわゆるヒケが発生する虞がある。【０００６】
本発明の目的は、ヒケの発生を抑制しつつ、ハウジングの剛性を高め、駆動時の不快な振動や騒音を抑制することができるファンモータを提供することを目的とする。
【課題を解決するための手段】
【０００７】
本願の例示的な発明は、ファンモータであって、モータと、インペラと、ハウジングと、を有する。モータは、ステータを有する静止部と、上下に延びる中心軸を中心に回転する回転部とを有する。インペラは、複数の羽根を有し、回転部とともに回転する。ハウジングは、モータおよびインペラの少なくとも一部を内部に収容する。ハウジングは、筒状部と、フランジ部と、１または複数のリブと、を有する。筒状部は、筒状であり、軸方向に延び、モータおよびインペラの少なくとも一部を内部に収容する。フランジ部は、筒状部の上端部または下端部から径方向外側へ向けて突出する。リブは、柱状であり、筒状部の外周面において、フランジ部から延びる。リブは、軸方向に対して傾斜している。
【発明の効果】
【０００８】
本願の例示的な発明によれば、筒状部の外周面において、フランジ部から延び、軸方向に対して傾斜する１または複数の柱状のリブを形成することによって、ハウジングの剛性を高め、駆動時の不快な振動や騒音を抑制することができる。また、リブ以外の部分におけるハウジングの厚みを抑制できるため、ヒケの発生を抑制できる。
【図面の簡単な説明】
【０００９】
【図１】図１は、第１実施形態に係るファンモータの縦断面図である。
【図２】図２は、第１実施形態に係るファンモータの部分縦断面図である。
【図３】図３は、第１実施形態に係るハウジングの斜視図である。
【図４】図４は、第１実施形態に係るハウジングの側面図である。
【図５】図５は、第１実施形態に係るリブの傾斜と、ハウジングの固有振動数との関係を解析した結果を示す図である。
【図６Ａ】図６Ａは、第１実施形態に係るハウジングの側面図である。
【図６Ｂ】図６Ｂは、第１実施形態に係るハウジングの側面図である。
【図６Ｃ】図６Ｃは、第１実施形態に係るハウジングの側面図である。
【図６Ｄ】図６Ｄは、第１実施形態に係るハウジングの側面図である。
【図７】図７は、第１実施形態に係るリブの厚みと、ハウジングの固有振動数との関係を解析した結果を示す図である。
【図８Ａ】図８Ａは、第１実施形態に係るハウジングの側面図である。
【図８Ｃ】図８Ｃは、第１実施形態に係るハウジングの側面図である。
【図８Ｅ】図８Ｅは、第１実施形態に係るハウジングの側面図である。
【図８Ｆ】図８Ｆは、第１実施形態に係るハウジングの側面図である。
【図９】図９は、第１実施形態に係るリブの位置と、ハウジングの固有振動数との関係を解析した結果を示す図である。
【図１０Ａ】図１０Ａは、第１実施形態に係るハウジングの上面図である。
【図１０Ｇ】図１０Ｇは、第１実施形態に係るハウジングの上面図である。
【図１０Ｈ】図１０Ｈは、第１実施形態に係るハウジングの上面図である。
【図１０Ｉ】図１０Ｉは、第１実施形態に係るハウジングの上面図である。
【図１０Ｃ】図１０Ｃは、第１実施形態に係るハウジングの上面図である。
【図１１】図１１は、第１実施形態に係るリブの位置と、ハウジングの固有振動数との関係を解析した結果を示す図である。
【図１２Ａ】図１２Ａは、第１実施形態に係るハウジングの上面図である。
【図１２Ｊ】図１２Ｊは、第１実施形態に係るハウジングの上面図である。
【図１２Ｋ】図１２Ｋは、第１実施形態に係るハウジングの上面図である。
【図１２Ｌ】図１２Ｌは、第１実施形態に係るハウジングの上面図である。
【図１２Ｃ】図１２Ｃは、第１実施形態に係るハウジングの上面図である。
【図１３】図１３は、第２実施形態に係るファンモータの縦断面図である。
【図１４】図１４は、第２実施形態に係るハウジングの斜視図である。
【図１５】図１５は、第２実施形態に係るハウジングの側面図である。
【図１６】図１６は、第２実施形態に係るリブの位置と、ハウジングの固有振動数との関係を解析した結果を示す図である。
【図１７Ａ】図１７Ａは、第２実施形態に係るハウジングの上面図である。
【図１７Ｂ】図１７Ｂは、第２実施形態に係るハウジングの上面図である。
【図１７Ｃ】図１７Ｃは、第２実施形態に係るハウジングの上面図である。
【図１７Ｄ】図１７Ｄは、第２実施形態に係るハウジングの上面図である。
【図１７Ｅ】図１７Ｅは、第２実施形態に係るハウジングの上面図である。
【図１７Ｆ】図１７Ｆは、第２実施形態に係るハウジングの上面図である。
【図１８】図１８は、従来のファンモータのハウジングにおける、振動モードを解析した結果を示す斜視図である。
【図１９】図１９は、従来のファンモータのハウジングにおける、振動モードを解析した結果を示す斜視図である。
【発明を実施するための形態】
【００１０】
以下、本発明の例示的な実施形態について、図面を参照しながら説明する。なお、本願では、後述するモータの中心軸と平行な方向を「軸方向」、モータの中心軸に直交する方向を「径方向」、モータの中心軸を中心とする円弧に沿う方向を「周方向」、とそれぞれ称する。また、本願では、軸方向を上下方向とし、空気が取り込まれる側を「吸気側」または単に「上側」と呼び、空気が排出される側を「排気側」または単に「下側」と呼ぶ。ただし、この「上側」および「下側」は、あくまで説明の便宜のための表現であって、重力方向とは無関係である。本発明に係るファンモータは、どのような向きで使用されてもよい。
【００１１】
また、本願において「平行な方向」とは、略平行な方向も含む。また、本願において「直交する方向」とは、略直交する方向も含む。
【００１２】
＜１．第１実施形態＞  
＜１−１．ファンモータの全体構成＞
図１は、第１実施形態に係るファンモータ１０の縦断面図である。
【００１３】
このファンモータ１０は、例えば、冷蔵庫などの家電製品、または複数の電子機器が配置されたサーバルームなどの室内に、冷却用の空気流を供給する装置として用いられる。このファンモータ１０は、単独で使用されてもよく、あるいは、複数台のファンモータ１０を組み合わせて同時に使用してもよい。例えば、１つのサーバルームに対して、複数台のファンモータ１０を設置して、それらを同時に駆動させてもよい。
【００１４】
図１に示すように、ファンモータ１０は、モータ１と、インペラ４と、ハウジング５と、を有する。ファンモータ１０は、中心軸９に沿って下向きに気流を発生させる軸流ファンである。ファンモータ１０を駆動させると、吸気側であるファンモータ１０の上側から空気が取り込まれ、ハウジング５内の風洞５０を通って、排気側であるファンモータ１０の下側へ向けて空気が送り出される。
【００１５】
＜１−２．モータおよびインペラの構成＞
まず、モータ１およびインペラ４の構成について説明する。図２は、第１実施形態に係るファンモータ１０の部分縦断面図である。以下では、図２とともに、図１も適宜に参照する。
【００１６】
モータ１は、静止部２と回転部３とを有する。静止部２は、ファンモータ１０が配置される装置等に対して、相対的に静止している。回転部３は、静止部２に対して、上下に延びる中心軸９を中心として、回転可能に支持されている。
【００１７】
図２に示すとおり、静止部２は、ステータ２２と、回路基板２３と、軸受ホルダ２４と、を有する。ステータ２２は、軸受ホルダ２４の外周面に固定される。ステータ２２は、ステータコア２２１と、複数のコイル２２２とを有する。ステータコア２２１は、複数のティースを有する。各ティースは径方向に延びる。複数のコイル２２２は、それぞれ、ティースの周囲に巻かれた導線により形成される。導線の端部は、回路基板２３に接続される。
【００１８】
軸受ホルダ２４は、中心軸９に沿って延びる円筒状の部材である。軸受ホルダ２４の下部は、後述するベース部２１の内周面に、例えば接着剤で固定される。軸受ホルダ２４の径方向内側には、軸受部２５が配置される。軸受部２５には、例えば、ボールベアリングが用いられる。軸受部２５の外輪は、軸受ホルダ２４の内周面に固定される。軸受部２５の内輪は、後述するシャフト３１と互いに固定される。これにより、シャフト３１が、静止部２に対して回転可能に支持される。ただし、モータ１は、ボールベアリングに代えて、すべり軸受、流体軸受等の他の方式の軸受部を有していてもよい。
【００１９】
回転部３は、シャフト３１と、ロータホルダ３２と、環状部材３３と、マグネット３４と、を有する。シャフト３１は、中心軸９に沿って配置される柱状の部材である。シャフト３１は、軸受部２５によって回転可能に支持される。シャフト３１の上端部は、軸受ホルダ２４よりも上方へ突出する。モータ１の駆動時には、シャフト３１は、中心軸９を中心として回転する。
【００２０】
ロータホルダ３２は、ロータ蓋部３２１とロータ筒部３２２とを有する有蓋円筒状の部材である。ロータ蓋部３２１は、中心軸９に対して略垂直に円板状に拡がる。ロータ筒部３２２は、ロータ蓋部３２１から排気側へ軸方向に延びる。ロータホルダ３２の材料には、例えば、金属または樹脂が用いられる。ロータ蓋部３２１の中央部は、シャフト３１の上端部に、環状部材３３を介して固定される。これにより、ロータホルダ３２は、シャフト３１とともに回転する。ロータ蓋部３２１は、静止部２の吸気側に配置される。ロータ筒部３２２は、ステータ２２の径方向外側に配置される。マグネット３４は、ロータ筒部３２２の内周面に固定される。
【００２１】
モータ１は、さらにステータ２２と電気的に接続されたリード線（図示省略）を有する。リード線（図示省略）は、一方の端部が、回路基板２３に接続される。また、他方の端部は、後述する筒状部５１から径方向外側に引き出され、例えば、ファンモータ１０の外部に設けられた電源に接続される。
【００２２】
リード線（図示省略）および回路基板２３を介して、ステータ２２のコイル２２２に駆動電流を供給すると、複数のティースに磁束が生じる。そして、ティースと、マグネット３４との間の磁束の作用により、静止部２と回転部３との間に周方向のトルクが発生する。その結果、静止部２に対して回転部３が、中心軸９を中心として回転する。これにより、回転部３に直接または間接的に固定される後述するインペラ４が、回転部３とともに、中心軸９を中心として回転する。
【００２３】
インペラ４は、カップ部４１と複数の羽根４２とを有する。カップ部４１は、ロータホルダ３２のロータ蓋部３２１およびロータ筒部３２２を覆う。各羽根４２は、カップ部４１の外周面から径方向外側へ拡がる。複数の羽根４２は、周方向に略等間隔に配列される。なお、羽根４２の数は、特に制限されない。インペラ４は、回転部３とともに回転する。
【００２４】
＜１−３．ハウジングの構成＞
次に、ハウジング５の構成について説明する。図３は、第１実施形態に係るハウジング５の斜視図である。図４は、第１実施形態に係るハウジング５の側面図である。
【００２５】
ハウジング５は、モータ１およびインペラ４の少なくとも一部を内部に収容する筐体である。図３および図４に示すとおり、ハウジング５は、ベース部２１と、筒状部５１と、フランジ部５２と、１または複数のベース接続部５３と、１または複数のリブ５４と、を有する。また、ハウジング５は、上下に開口する直方体形の立体形状を有する。
【００２６】
ベース部２１は、モータ１のステータ２２よりも下側に配置され、軸受ホルダ２４の周囲から径方向外側に向かって拡がる円板状の部位である。上述のとおり、ベース部２１の内周面には、軸受ホルダ２４の下部が、例えば接着剤で固定される。ベース部２１の上部には、モータ１が配置される。モータ１は、ベース部２１に支持される。
【００２７】
筒状部５１は、中心軸９に沿って吸気側（上側）から排気側（下側）へと軸方向に延びる筒状の部位である。筒状部５１は、インペラ４の径方向外側において、略円筒状に延びる。筒状部５１は、モータ１およびインペラ４の少なくとも一部を内部に収容する。
【００２８】
フランジ部５２は、筒状部５１における周方向の４箇所において、径方向外側へ向けて突出する部位である。フランジ部５２は、上側フランジ部５２１と下側フランジ部５２２とを有する。上側フランジ部５２１は、筒状部５１の上端部から径方向外側へ向けて突出する。下側フランジ部５２２は、筒状部５１の下端部から径方向外側へ向けて突出する。ハウジング５は、上側から見て、矩形形状を有する。ハウジング５は、下側から見て、矩形形状を有する。すなわち、ハウジング５は、上下に開口する直方体形の立体形状を有する。本実施形態では、上側フランジ部５２１の軸方向の厚みと下側フランジ部５２２の軸方向の厚みとは、互いに等しい。なお、中心軸９から径方向外側に離れるにしたがって、ハウジング５の各部位の剛性は低くなり、ファンモータ１０の駆動時に共振が発生しやすくなる。例えば、上側フランジ部５２１の径方向外側の端部は、ハウジング５の中で最も剛性が低い。また、下側フランジ部５２２の径方向外側の端部も、同様に剛性が低いが、後述のとおりハウジング５の下部にはベース接続部５３が設けられるため、下側フランジ部５２２の径方向外側の端部は、上側フランジ部５２１の径方向外側の端部よりも剛性が高い。上側フランジ部５２１または下側フランジ部５２２は、ファンモータ１０が設置される装置等の枠体に、例えば、ねじ止めによって取り付けられる。なお、フランジ部５２は、上側フランジ部５２１または下側フランジ部５２２のみから構成されてもよい。
【００２９】
ベース接続部５３は、それぞれベース部２１の外周面の少なくとも一部から径方向外側へ延び、筒状部５１の内周面の少なくとも一部と連結される、柱状の部位である。これにより、モータ１の静止部２の、ハウジング５に対する位置が固定される。また、ベース接続部５３が設けられることにより、筒状部５１の下部および下側フランジ部５２２は、筒状部５１の上部および上側フランジ部５２１よりも剛性が高くなる。なお、ベース接続部５３は、ハウジング５の下部において、１または複数設けられる。ただし、ベース接続部５３の数は、限定されない。
【００３０】
筒状部５１の外周面には、さらにフランジ部５２から延びる柱状のリブ５４が、１または複数設けられている。リブ５４については、詳細を後述する。なお、本実施形態では、ベース部２１と、筒状部５１と、フランジ部５２と、１または複数のベース接続部５３と、１または複数のリブ５４とは、樹脂の射出成形により単一の部材として形成される。ただし、これらは別部材であってもよい。
【００３１】
＜１−４．リブの構成＞
続いて、リブ５４の構成について説明する。
【００３２】
上述のとおり、１または複数設けられたリブ５４は、それぞれ筒状部５１の外周面に位置し、上側フランジ部５２１と下側フランジ部５２２とを繋ぐ。これにより、ハウジング５の剛性が高くなり、水平方向の振動に対するハウジング５の固有振動数が高くなる。その結果、ファンモータ１０を駆動する際、磁気励振との共振時における共振振幅を小さくすることができ、騒音を低減することができる。
【００３３】
なお、リブ５４は、それぞれハウジング５の下部から上部へ向かうにつれて中心軸９から離れる方向に、軸方向に対して傾斜することが望ましい。図５は、リブ５４の傾斜と、水平方向の振動に対するハウジング５の固有振動数との関係を解析した結果を示す図である。縦軸は、Ａのハウジング５の固有振動数の解析結果を基準にした、それぞれのハウジング５の固有振動数の解析結果を表している。Ａは、ハウジング５にリブ５４が設けられない場合の、水平方向の振動に対するハウジング５の固有振動数を解析した結果である。Ｂは、ハウジング５に軸方向に平行なリブ５４が設けられる場合の、同様に解析した結果である。Ｃは、ハウジング５の下部から上部へ向かうにつれて中心軸９から離れる方向に傾斜するリブ５４が設けられる場合の、同様に解析した結果である。Ｄは、ハウジング５の上部から下部へ向かうにつれて中心軸９から離れる方向に傾斜するリブ５４が設けられる場合の、同様に解析した結果である。参照として図６Ａ、図６Ｂ、図６Ｃ、および図６Ｄに、Ａ、Ｂ、Ｃ、およびＤのそれぞれのハウジング５の側面図を示す。なお、Ｂ〜Ｄのハウジング５は、直方体形の立体形状における４つの側面のそれぞれにおいて、２つのリブ５４を有する。
【００３４】
図５に示すとおり、Ａ〜Ｄの解析結果を比較すると、Ｃが最も水平方向の振動に対するハウジング５の固有振動数が高くなっている。下側フランジ部５２２の径方向内側の部位は、上側フランジ部５２１の径方向外側の部位よりも剛性が高い。Ｃでは、上側フランジ部５２１の径方向外側の部位が、下側フランジ部５２２の径方向内側の部位に接続される。このため、ハウジング５の全体としての剛性が高まり、固有振動数が高くなっている。その結果、ファンモータ１０を駆動する際、磁気励振との共振時における共振振幅を小さくすることができ、騒音を低減することができる。
【００３５】
リブ５４の厚みは、上側フランジ部５２１または下側フランジ部５２２の軸方向の厚み以下であることが好ましい。また、複数のリブ５４の厚みは、同じ程度であることが望ましい。図７は、リブ５４の厚みと、水平方向の振動に対するハウジング５の固有振動数との関係を解析した結果を示す図である。縦軸は、Ａのハウジング５の固有振動数の解析結果を基準にした、それぞれのハウジング５の固有振動数の解析結果を表している。図７において、Ａは、ハウジング５にリブ５４が設けられない場合の、水平方向の振動に対するハウジング５の固有振動数を解析した結果である。Ｃ、Ｅ、およびＦは、ハウジング５の下部から上部へ向かうにつれて中心軸９から離れる方向に傾斜するリブ５４が設けられる場合の、同様に解析した結果である。また、Ｃ、Ｅ、およびＦのハウジング５は、直方体形の立体形状における４つの側面のそれぞれにおいて、２つのリブ５４を有する。ただし、Ｃのリブ５４の厚みは、上側フランジ部５２１および下側フランジ部５２２の軸方向の厚みと等しいのに対し、Ｅのリブ５４の厚みは、Ｃのリブ５４の厚みよりも小さい。また、Ｆのリブ５４の厚みは、Ｅのリブ５４の厚みよりもさらに小さい。参照として図８Ａ、図８Ｃ、図８Ｅ、および図８Ｆに、Ａ、Ｃ、Ｅ、およびＦのそれぞれのハウジング５の側面図を示す。
【００３６】
図７に示すとおり、Ａ、Ｃ、Ｅ、およびＦの解析結果を比較すると、Ｃが最も水平方向の振動に対するハウジング５の固有振動数が高くなっている。Ｃのリブ５４の厚みは、上側フランジ部５２１および下側フランジ部５２２の軸方向の厚みと等しく、十分な大きさを有しているため、ハウジング５の全体としての剛性が高くなり、固有振動数が高くなっている。これに対し、ＥおよびＦでは、リブ５４の厚みがＣよりも小さくなることにより、ハウジング５の全体としての剛性が、Ｃに比べて低くなり、Ｃよりも固有振動数が低くなっている。なお、リブ５４の厚みを、上側フランジ部５２１および下側フランジ部５２２の軸方向の厚みよりもさらに大きくすると、リブ５４を含むハウジング５の樹脂成形時に、表面に陥没が生じる、いわゆるヒケが発生する虞がある。そのため、リブ５４の厚みを大きくし過ぎず、上側フランジ部５２１および下側フランジ部５２２の軸方向の厚みと同じ程度にすることが望ましい。
【００３７】
リブ５４は、ハウジング５の直方体形の立体形状における４つの側面のそれぞれにおいて２つ以上設けられることが望ましい。図９は、リブ５４の位置と、水平方向の振動に対するハウジング５の固有振動数との関係を解析した結果を示す図である。縦軸は、Ａのハウジング５の固有振動数の解析結果を基準にした、それぞれのハウジング５の固有振動数の解析結果を表している。図９において、Ａは、ハウジング５にリブ５４が設けられない場合の、水平方向の振動に対するハウジング５の固有振動数を解析した結果である。Ｇは、ハウジング５の直方体形の立体形状における４つの側面のうちの１つの側面に２つのリブ５４が設けられる場合の、同様に解析した結果である。Ｈは、ハウジング５の直方体形の立体形状における４つの側面のうちの１つの側面と、当該１つの側面と向かい合う側面に、それぞれ２つのリブ５４が設けられる場合の、同様に解析した結果である。Ｉは、ハウジング５の直方体形の立体形状における４つの側面のうちの１つの側面と、当該１つの側面と隣り合う側面に、それぞれ２つのリブ５４が設けられる場合の、同様に解析した結果である。Ｃは、ハウジング５の直方体形の立体形状における４つのすべての側面に、それぞれ２つのリブ５４が設けられる場合の、同様に解析した結果である。参照として図１０Ａ、図１０Ｇ、図１０Ｈ、図１０Ｉ、および図１０Ｃに、Ａ、Ｇ、Ｈ、Ｉ、およびＣのそれぞれのハウジング５の上面図を示す。各上面図における黒い丸印の位置にリブ５４が設けられる。
【００３８】
図９に示すとおり、Ａ、Ｇ、Ｈ、Ｉ、およびＣの解析結果を比較すると、Ｃが最も水平方向の振動に対するハウジング５の固有振動数が高くなっている。Ｃでは、ハウジング５の直方体形の立体形状における４つのすべての側面に、それぞれ２つのリブ５４が設けられるため、ハウジング５の全体としての剛性が高まり、固有振動数が高くなった。その結果、ファンモータ１０を駆動する際、磁気励振との共振時における共振振幅を小さくすることができ、騒音を低減することができる。
【００３９】
なお、図９において、ＨおよびＩの解析結果を比較すると、Ｉの方が水平方向の振動に対するハウジング５の固有振動数が高くなっている。ＨとＩでは、ともにハウジング５の直方体形の立体形状における４つの側面のうちの２つの側面に、それぞれ２つのリブ５４が設けられている。ただし、Ｈでは、当該２つの側面が互いに向かい合うのに対し、Ｉでは、当該２つの側面が互いに隣接している。
【００４０】
以下、図１０Ａ、図１０Ｇ、図１０Ｈ、図１０Ｉ、および図１０Ｃに示すとおり、軸方向に直交する水平面をＸＹ平面とする。また、ハウジング５の上面図に示すとおり、ハウジング５の直方体形の立体形状における４つの側面のうちの２つの側面がＸ軸に対して平行に、残りの２つの側面がＹ軸に対して平行に配置されているものとして、説明する。Ｈでは、ハウジング５の直方体形の立体形状における４つの側面のうちのＸ軸方向に平行な２つの側面に、それぞれ２つのリブ５４が設けられている。そのため、Ｈでは、水平方向（ＸＹ方向）のうちのＸ軸方向の振動に対するハウジング５の固有振動数が高い。これに対し、Ｉでは、ハウジング５の直方体形の立体形状における４つの側面のうちのＸ軸方向に平行な１つの側面と、Ｙ軸方向に平行な１つの側面に、それぞれ２つのリブ５４が設けられている。そのため、Ｉでは、水平方向（ＸＹ方向）のうちのＸ軸方向およびＹ軸方向の振動に対するハウジング５の固有振動数が高い。結果として、ＩはＨよりも全体として水平方向の振動に対するハウジング５の固有振動数が高くなる。すなわち、リブ５４を、直方体形の立体形状における４つの側面のうち２つの側面のそれぞれにおいて２つ以上設ける場合、互いに隣接している２つの側面にリブ５４を設けることで、水平方向の振動に対するハウジング５の固有振動数をより高めることができる。
【００４１】
図１１は、図９と同様に、リブ５４の位置と、水平方向の振動に対するハウジング５の固有振動数との関係を解析した結果を示す図である。縦軸は、Ａのハウジング５の固有振動数の解析結果を基準にした、それぞれのハウジング５の固有振動数の解析結果を表している。図１１において、Ａは、ハウジング５にリブ５４が設けられない場合の、水平方向の振動に対するハウジング５の固有振動数を解析した結果である。Ｊは、ハウジング５の直方体形の立体形状における４つの側面のうちの１つの側面と、当該１つの側面と隣接する側面に、それぞれ１つのリブ５４が設けられる場合の、同様に解析した結果である。Ｋは、ハウジング５の直方体形の立体形状における４つのすべての側面に、それぞれ１つのリブ５４が設けられる場合の、同様に解析した結果である。Ｌは、ハウジング５の直方体形の立体形状における４つの側面のうちのＹ軸に対して平行な１つの側面に２つのリブ５４が設けられ、当該１つの側面と隣接する２つの側面に、それぞれ１つのリブ５４が設けられる場合の、同様に解析した結果である。Ｃは、ハウジング５の直方体形の立体形状における４つのすべての側面に、それぞれ２つのリブ５４が設けられる場合の、同様に解析した結果である。参照として図１２Ａ、図１２Ｊ、図１２Ｋ、図１２Ｌ、および図１２Ｃに、Ａ、Ｊ、Ｋ、Ｌ、およびＣのそれぞれのハウジング５の上面図を示す。各上面図における黒い丸印の位置にリブ５４が設けられる。
【００４２】
図９の解析結果と同様に、図１１に示すとおり、Ａ、Ｊ、Ｋ、Ｌ、およびＣの解析結果を比較すると、Ｃが最も水平方向の振動に対するハウジング５の固有振動数が高い。Ｃでは、ハウジング５の直方体形の立体形状における４つのすべての側面に、それぞれ２つのリブ５４が設けられるため、ハウジング５の全体としての剛性が高まり、固有振動数が高くなっている。その結果、ファンモータ１０を駆動する際、磁気励振との共振時における共振振幅を小さくすることができ、騒音を低減することができる。
【００４３】
なお、図１１におけるＫおよびＬの解析結果を、図９におけるＨおよびＩと比較すると、ＫおよびＬの解析結果は、Ｉと同じ程度で、Ｈよりも水平方向の振動に対するハウジング５の固有振動数が高くなる。Ｈ、Ｉ、Ｋ、およびＬのいずれも、ハウジング５の直方体形の立体形状における４つの側面において、合計４つのリブ５４が設けられている。ただし、同じく軸方向に直交する水平面をＸＹ平面とし、ハウジング５の上面図に示すとおり、ＫおよびＬは、Ｉと同じく、ハウジング５の直方体形の立体形状における４つの側面のうちのＸ軸方向に平行な側面と、Ｙ軸方向に平行な側面に、それぞれ合計２つのリブ５４が設けられている。そのため、全体として水平方向の振動に対するハウジング５の固有振動数が高くなる。
【００４４】
＜２．第２実施形態＞
＜２−１．ファンモータの構成＞
続いて、本発明の第２実施形態について説明する。図１３は、第２実施形態に係るファンモータ１０Ｂの縦断面図である。図１４は、第２実施形態に係るハウジング５Ｂの斜視図である。図１５は、第２実施形態に係るハウジング５Ｂの側面図である。なお、以下では、第１実施形態との相違点を中心に説明し、第１実施形態と同等の部分については、重複説明を省略する。
【００４５】
図１３に示すように、ファンモータ１０Ｂは、モータ１Ｂと、インペラ４Ｂと、ハウジング５Ｂと、を有する。モータ１Ｂは、ステータ２２Ｂを有する静止部２Ｂと、上下に延びる中心軸９Ｂを中心に回転する回転部３Ｂと、を有する。静止部２Ｂは、ファンモータ１０Ｂが配置される装置等に対して、相対的に静止している。回転部３Ｂは、静止部２Ｂに対して、上下に延びる中心軸９Ｂを中心として、回転可能に支持されている。インペラ４Ｂは、複数の羽根４２Ｂを有し、モータ１Ｂの回転部３Ｂとともに回転する。ハウジング５Ｂは、モータ１Ｂおよびインペラ４Ｂの少なくとも一部を内部に収容する筐体である。ハウジング５Ｂについては、詳細を後述する。
【００４６】
＜２−２．ハウジングの構成＞
次に、ハウジング５Ｂの構成について説明する。
【００４７】
図１４および図１５に示すように、ハウジング５Ｂは、第１ハウジング５５Ｂと第２ハウジング５６Ｂとを有する。第２ハウジング５６Ｂは、第１ハウジング５５Ｂの下方に、直接または間接的に固定される。
【００４８】
第１ハウジング５５Ｂは、上下に開口する直方体形の立体形状を有する。第１ハウジング５５Ｂは、第１筒状部５１１Ｂと、上側フランジ部５２１Ｂと、を有する。
【００４９】
第１筒状部５１１Ｂは、中心軸９Ｂに沿って吸気側（上側）から排気側（下側）へと軸方向に延びる筒状の部位である。第１筒状部５１１Ｂは、モータ１Ｂおよびインペラ４Ｂの少なくとも一部を内部に収容し、インペラ４Ｂの径方向外側を、円環状に取り囲む。上側フランジ部５２１Ｂは、第１筒状部５１１Ｂの周方向の４箇所において第１筒状部５１１Ｂの上端部から径方向外側へ向けて突出する。
【００５０】
第２ハウジング５６Ｂは、上下に開口する直方体形の立体形状を有する。第２ハウジング５６Ｂは、ベース部２１Ｂと、第２筒状部５１２Ｂと、下側フランジ部５２２Ｂと、１または複数のベース接続部５３Ｂと、を有する。なお、ハウジング５Ｂは、第１ハウジング５５Ｂの上側フランジ部５２１Ｂまたは当該下側フランジ部５２２Ｂのみを有していてもよい。
【００５１】
ベース部２１Ｂは、モータ１Ｂのステータ２２Ｂよりも下側に配置され、径方向に拡がる円板状の部位である。ベース部２１Ｂの上部には、モータ１Ｂが配置される。モータ１Ｂは、ベース部２１Ｂに支持される。第２筒状部５１２Ｂは、第１筒状部５１１Ｂの下方に配置され、中心軸９Ｂに沿って吸気側（上側）から排気側（下側）へと軸方向に延びる筒状の部位である。第２筒状部５１２Ｂは、モータ１Ｂおよびインペラ４Ｂの少なくとも一部を内部に収容し、インペラ４Ｂの径方向外側を、円環状に取り囲む。第２筒状部５１２Ｂは、第１筒状部５１１Ｂとの接触面５１３Ｂを介して、第１筒状部５１１Ｂの下方に連続して配置される。下側フランジ部５２２Ｂは、第２筒状部５１２Ｂの周方向の４箇所において第２筒状部５１２Ｂの下端部から径方向外側へ向けて突出する。
【００５２】
なお、第１ハウジング５５Ｂの上側フランジ部５２１Ｂの上面および外周面と、当該下側フランジ部５２２Ｂの下面および外周面とによって、上下に開口する直方体形の立体形状を有するハウジング５の外形が形成される。また、本実施形態では、上側フランジ部５２１Ｂの軸方向の厚みと下側フランジ部５２２Ｂの軸方向の厚みとは、互いに等しい。
【００５３】
ベース接続部５３Ｂは、それぞれベース部２１Ｂの外周面の少なくとも一部から径方向外側へ延び、第２筒状部５１２Ｂの内周面の少なくとも一部と連結される、柱状の部位である。これにより、モータ１Ｂの静止部２Ｂの、ハウジング５Ｂに対する位置が固定される。また、ベース接続部５３Ｂが設けられることにより、第２筒状部５１２Ｂの下部および下側フランジ部５２２Ｂは、第１筒状部５１１Ｂの上部および上側フランジ部５２１Ｂよりも剛性が高くなる。なお、ベース接続部５３Ｂは、ハウジング５Ｂの下部において、１または複数設けられる。ただし、ベース接続部５３Ｂの数は、限定されない。
【００５４】
さらに、ハウジング５Ｂは、柱状の第１リブ５４１Ｂと、柱状の第２リブ５４２Ｂとを有する。第１リブ５４１Ｂは、第１筒状部５１１Ｂの外周面において、上側フランジ部５２１Ｂから下方へ向けて延びる。第２リブ５４２Ｂは、第２筒状部５１２Ｂの外周面において、下側フランジ部５２２Ｂから上方へ向けて延びる。第１リブ５４１Ｂおよび第２リブ５４２Ｂは、それぞれ１または複数設けられている。第１リブ５４１Ｂおよび第２リブ５４２Ｂについては、詳細を後述する。なお、ハウジング５Ｂは、第１リブ５４１Ｂおよび第２リブ５４２Ｂの少なくとも一方のみを有する構造であってもよい。また、本実施形態において、第１筒状部５１１Ｂと、上側フランジ部５２１Ｂと、１または複数の第１リブ５４１Ｂとは、樹脂の射出成形により単一の部材として形成される。ただし、これらは別部材であってもよい。また、本実施形態において、ベース部２１Ｂと、第２筒状部５１２Ｂと、下側フランジ部５２２Ｂと、１または複数のベース接続部５３Ｂと、１または複数の第２リブ５４２Ｂとは、樹脂の射出成形により単一の部材として形成される。ただし、これらは別部材であってもよい。
【００５５】
＜２−３．第１リブおよび第２リブの構成＞
続いて、第１リブ５４１Ｂおよび第２リブ５４２Ｂの構成について説明する。
【００５６】
１または複数の柱状の第１リブ５４１Ｂは、それぞれ第１筒状部５１１Ｂの外周面に位置し、上側フランジ部５２１Ｂから下方へ向けて、軸方向に対して傾斜する方向に延びる。また、１または複数の柱状の第２リブ５４２Ｂは、それぞれ第２筒状部５１２Ｂの外周面に位置し、下側フランジ部５２２Ｂから上方へ向けて、軸方向に対して傾斜する方向に延びる。第１リブ５４１Ｂおよび第２リブ５４２Ｂを有することにより、ハウジング５Ｂの剛性が高くなり、水平方向の振動に対するハウジング５Ｂの固有振動数が高くなる。その結果、ファンモータ１０Ｂを駆動する際、磁気励振との共振時における共振振幅を小さくすることができ、騒音を低減することができる。
【００５７】
なお、本実施形態では、第１リブ５４１Ｂは、ハウジング５Ｂの上面へ向かうにつれて中心軸９Ｂから離れる方向に傾斜する。第２リブ５４２Ｂは、ハウジング５Ｂの下面へ向かうにつれて中心軸９Ｂから離れる方向に傾斜する。第１実施形態と同様に、中心軸９Ｂから径方向外側に離れるにしたがって、ハウジング５Ｂの各部位の剛性は低くなる。例えば、上側フランジ部５２１Ｂの径方向外側の端部、および下側フランジ部５２２Ｂの径方向外側の端部は、ハウジング５Ｂの中でも特に剛性が低い。第１リブ５４１Ｂおよび第２リブ５４２Ｂを設けることで、これらの部位が、ハウジング５Ｂにおける径方向内側の剛性が高い部位に繋がれる。これにより、ハウジング５Ｂの全体としての剛性が高まり、固有振動数が高くなる。その結果、ファンモータ１０Ｂを駆動する際、磁気励振との共振時における共振振幅を小さくすることができ、騒音を低減することができる。
【００５８】
また、第１リブ５４１Ｂおよび第２リブ５４２Ｂの厚みは、上側フランジ部５２１Ｂまたは下側フランジ部５２２Ｂの軸方向の厚み以下であることが好ましい。また、複数の第１リブ５４１Ｂおよび複数の第２リブ５４２Ｂの厚みは、同じ程度であることが望ましい。これにより、第１実施形態と同様に、第１リブ５４１Ｂおよび第２リブ５４２Ｂを含むハウジング５Ｂの樹脂成形時に、ヒケの発生を抑制しつつ、ハウジング５Ｂの剛性を高め、ファンモータ１０Ｂの駆動時の騒音を抑制することができる。
【００５９】
なお、１または複数の第１リブ５４１Ｂのそれぞれの下端部と、１または複数の第２リブ５４２Ｂのそれぞれの上端部とが、第１筒状部５１１Ｂと第２筒状部５１２Ｂとの接触面５１３Ｂにおいて、互いに連続して配置されることが望ましい。これにより、第１リブ５４１Ｂと第２リブ５４２Ｂの剛性が高くなり、ハウジング５Ｂの全体としての剛性をさらに高めることができる。
【００６０】
さらに、第１実施形態と同様に、第１リブ５４１Ｂを、第１ハウジング５５Ｂの直方体形の立体形状における４つの側面のうち２つの側面のそれぞれにおいて２つ以上設ける場合、互いに隣接している２つの側面に第１リブ５４１Ｂを設けることが望ましい。これにより、水平方向の振動に対する第１ハウジング５５Ｂの固有振動数をより高めることができる。また、第２リブ５４２Ｂを、第２ハウジング５６Ｂの直方体形の立体形状における４つの側面のうち２つの側面のそれぞれにおいて２つ以上設ける場合、互いに隣接している２つの側面に第２リブ５４２Ｂを設けることが望ましい。これにより、水平方向の振動に対する第２ハウジング５６Ｂの固有振動数をより高めることができる。
【００６１】
図１６は、第１リブ５４１Ｂおよび第２リブ５４２Ｂの位置と、水平方向の振動に対するハウジング５Ｂの固有振動数との関係を解析した結果を示す図である。縦軸は、Ａのハウジング５Ｂの固有振動数の解析結果を基準にした、それぞれのハウジング５Ｂの固有振動数の解析結果を表している。図１６において、Ａは、第１ハウジング５５Ｂに第１リブ５４１Ｂが設けられず、第２ハウジング５６Ｂに第２リブ５４２Ｂが設けられない場合の、水平方向の振動に対するハウジング５Ｂの固有振動数を解析した結果である。Ｂは、第１ハウジング５５Ｂの直方体形の立体形状における４つの側面のそれぞれに２つの第１リブ５４１Ｂが設けられる場合の、同様に解析した結果である。第２ハウジング５６Ｂには、第２リブ５４２Ｂは設けられていない。Ｃは、第２ハウジング５６Ｂの直方体形の立体形状における４つの側面のそれぞれに２つの第２リブ５４２Ｂが設けられる場合の、同様に解析した結果である。第１ハウジング５５Ｂには、第１リブ５４１Ｂは設けられていない。ＤおよびＥは、第１ハウジング５５Ｂの直方体形の立体形状における４つの側面のそれぞれに１つの第１リブ５４１Ｂが設けられ、第２ハウジング５６Ｂの直方体形の立体形状における４つの側面のそれぞれに１つの第２リブ５４２Ｂが設けられる場合の、同様に解析した結果である。ただし、Ｄは、第１リブ５４１Ｂの下端部と第２リブ５４２Ｂの上端部とが接触面５１３Ｂにおいて連続している。Ｅは、第１リブ５４１Ｂと第２リブ５４２Ｂとが接触面５１３Ｂにおいて連続しない位置に設けられている。Ｆは、第１ハウジング５５Ｂの直方体形の立体形状における４つのすべての側面に、それぞれ２つの第１リブ５４１Ｂが設けられ、第２ハウジング５６Ｂの直方体形の立体形状における４つのすべての側面に、それぞれ２つの第２リブ５４２Ｂが設けられる場合の、同様に解析した結果である。参照として図１７Ａ、図１７Ｂ、図１７Ｃ、図１７Ｄ、図１７Ｅ、および図１７Ｆに、Ａ、Ｂ、Ｃ、Ｄ、Ｅ、およびＦのそれぞれのハウジング５Ｂの上面図を示す。各第１ハウジング５５Ｂの上面図における黒い丸印の位置に第１リブ５４１Ｂが設けられる。また、各第２ハウジング５６Ｂの上面図における黒い丸印の位置に第２リブ５４２Ｂが設けられる。
【００６２】
図１６に示すとおり、Ａ、Ｂ、Ｃ、Ｄ、Ｅ、およびＦの解析結果を比較すると、Ｆが最も水平方向の振動に対するハウジング５の固有振動数が高くなっている。Ｆでは、第１ハウジング５５Ｂの直方体形の立体形状における４つのすべての側面に、それぞれ２つの第１リブ５４１Ｂが設けられ、第２ハウジング５６Ｂの直方体形の立体形状における４つのすべての側面に、それぞれ２つの第２リブ５４２Ｂが設けられるため、ハウジング５Ｂの全体としての剛性が高まり、固有振動数が高くなっている。その結果、ファンモータ１０Ｂを駆動する際、磁気励振との共振時における共振振幅を小さくすることができ、騒音を低減することができる。すなわち、第１リブ５４１Ｂは、第１ハウジング５５Ｂの直方体形の立体形状における４つの側面のそれぞれにおいて２つ以上設けられ、第２リブ５４２Ｂは、第２ハウジング５６Ｂの直方体形の立体形状における４つの側面のそれぞれにおいて２つ以上設けられることが望ましい。
【００６３】
図１６におけるＢおよびＣの解析結果を比較すると、Ｂは、Ｃよりも水平方向の振動に対するハウジング５Ｂの固有振動数が高くなっている。Ｂでは、ハウジング５Ｂにおいて特に剛性が低い上側フランジ部５２１Ｂの径方向外側の部位が、剛性が高い接触面５１３Ｂの径方向内側の部位に、第１リブ５４１Ｂによって繋がれるため、ハウジング５Ｂの全体としての剛性が高まり、固有振動数が高くなっている。その結果、ファンモータ１０Ｂを駆動する際、磁気励振との共振時における共振振幅を小さくすることができ、騒音を低減することができる。すなわち、第１ハウジング５５Ｂおよび第２ハウジング５６Ｂのいずれか一方にリブ（第１リブ５４１Ｂまたは第２リブ５４２Ｂ）を設ける場合、第１ハウジング５５Ｂの直方体形の立体形状における４つの側面のそれぞれにおいて、第１リブ５４１Ｂのみを有することが望ましい。
【００６４】
＜３．変形例＞
以上、本発明の例示的な実施形態について説明したが、本発明は上記の実施形態に限定されるものではない。
【００６５】
各リブの厚みは、必ずしも一定でなくてもよい。例えば、軸方向の位置によって、リブの厚みが変化してもよい。また、ハウジングの直方体形の立体形状における４つの側面のそれぞれにおいて、リブは２つ以上設けられてもよい。また、各リブは、必ずしも直線状でなくてもよい。
【００６６】
また、各部品の細部の形状については、本願の各図に示された形状と、相違していてもよい。また、上記の実施形態や変形例に登場した各要素を、矛盾が生じない範囲で、適宜に組み合わせてもよい。
【００６７】
本発明は、例えば、ファンモータに利用できる。
【符号の説明】
【００６８】
１，１Ｂ  モータ、２，２Ｂ  静止部、３，３Ｂ  回転部、４，４Ｂ  インペラ、５，５Ｂ，５Ｘ，５Ｙ  ハウジング、９，９Ｂ  中心軸、１０，１０Ｂ  ファンモータ、２１，２１Ｂ  ベース部、２２，２２Ｂ  ステータ、２３  回路基板、２４  軸受ホルダ、２５  軸受部、３１  シャフト、  ３２  ロータホルダ、３３  環状部材、３４  マグネット、４１  カップ部、４２，４２Ｂ  羽根、５０  風洞、５１  筒状部、５２  フランジ部、５３，５３Ｂ  ベース接続部、５４  リブ、５５Ｂ  第１ハウジング、５６Ｂ  第２ハウジング、２２１  ステータコア、２２２  コイル、３２１  ロータ蓋部、３２２  ロータ筒部、５１１Ｂ  第１筒状部、５１２Ｂ  第２筒状部、５１３Ｂ  接触面、５２１，５２１Ｂ  上側フランジ部、５２２，５２２Ｂ  下側フランジ部、５４１Ｂ  第１リブ、５４２Ｂ  第２リブ
【図１】
2018105526.tif 000003
【図２】
2018105526.tif 000004
【図３】
2018105526.tif 000005
【図４】
2018105526.tif 000006
【図５】
2018105526.tif 000007
【図６Ａ】
2018105526.tif 000008
【図６Ｂ】
2018105526.tif 000009
【図６Ｃ】
2018105526.tif 000010
【図６Ｄ】
2018105526.tif 000011
【図７】
2018105526.tif 000012
【図８Ａ】
2018105526.tif 000013
【図８Ｃ】
2018105526.tif 000014
【図８Ｅ】
2018105526.tif 000015
【図８Ｆ】
2018105526.tif 000016
【図９】
2018105526.tif 000017
【図１０Ａ】
2018105526.tif 000018
【図１０Ｇ】
2018105526.tif 000019
【図１０Ｈ】
2018105526.tif 000020
【図１０Ｉ】
2018105526.tif 000021
【図１０Ｃ】
2018105526.tif 000022
【図１１】
2018105526.tif 000023
【図１２Ａ】
2018105526.tif 000024
【図１２Ｊ】
2018105526.tif 000025
【図１２Ｋ】
2018105526.tif 000026
【図１２Ｌ】
2018105526.tif 000027
【図１２Ｃ】
2018105526.tif 000028
【図１３】
2018105526.tif 000029
【図１４】
2018105526.tif 000030
【図１５】
2018105526.tif 000031
【図１６】
2018105526.tif 000032
【図１７Ａ】
2018105526.tif 000033
【図１７Ｂ】
2018105526.tif 000034
【図１７Ｃ】
2018105526.tif 000035
【図１７Ｄ】
2018105526.tif 000036
【図１７Ｅ】
2018105526.tif 000037
【図１７Ｆ】
2018105526.tif 000038
【図１８】
2018105526.tif 000039
【図１９】
2018105526.tif 000040
【国際調査報告】
2018105526.tif 000041
2018105526.tif 000042
2018105526.tif 000043
2018105526.tif 000044